(57)【要約】【課題】患部に軟膏を整合的に付着でき、擦り込み効果を発揮できるローラ制動機構を備えた軟膏塗擦具の提供。【解決手段】軟膏塗摩具１０は、ローラ周面に軟膏を付着するべき塗擦用ローラ１と、ハンドル２とから成る。塗擦用ローラ１は、ローラ本体１ａと、両端面の中心から突出した固定軸１ｂ，１ｂと、端面に張り合わせた滑り止めシート１ｃとから成る。ハンドル２は、棒状柄部２ａの先方に二又状に分岐した第１及び第２のアーム部２ｂ，２ｃを有する。各アーム部の先端部の内側対向面Ｓには固定軸１ｂが嵌入する軸受穴Ｈが形成されている。内側対向面Ｓはローラ本体１ａの端面に臨む摩擦制動面として機能し、両アーム部は付与される挟み込み力により各内側対向面がローラ本体の滑り止めシートに圧接可能な弾性変形性を持つ。柄部２ａの分岐部Ｂ付近には進退動可能の締め環３が外嵌している。【選択図】        図１
2004329772.tif 000002
【特許請求の範囲】
【請求項１】
ローラ周面に軟膏を付着するべき塗擦用ローラと、当該ローラの第１及び第２の端面側で当該ローラを回転可能に支承する第１及び第２の回り対偶部並びに第１及び第２の回り対偶部から前記端面の放射方向に延出した第１及び第２のアーム部を具備するハンドルと、を備えた軟膏塗擦具において、
前記ハンドルは、柄部の先端で二又状に分岐した第１及び第２のアーム部を有し、前記アーム部の少なくとも第１のアーム部は、前記ローラの第１の端面に臨む第１の摩擦制動面を有し、第１及び第２のアーム部に付与される挟み込み力により第１の摩擦制動面が前記ローラの第１の端面に圧接可能な弾性変形性を持ち、前記挟み込み力を生じさせる作動手段を具備して成ることを特徴とする軟膏塗擦具。
【請求項２】
請求項１において、前記作動手段は、前記柄部に外嵌して当該柄部に沿って進退動可能な締め環であることを特徴とする軟膏塗擦具。
【請求項３】
請求項２において、前記柄部は、前記締め環を抜け止めするためのストッパーを具備して成ることを特徴とする軟膏塗擦具。
【請求項４】
ローラ周面に軟膏を付着するべき塗擦用ローラと、当該ローラの第１及び第２の端面側で当該ローラを回転可能に支承する第１及び第２の回り対偶部並びに第１及び第２の回り対偶部から前記端面の放射方向に延出した第１及び第２のアーム部を具備するハンドルと、を備えた軟膏塗擦具において、
前記アーム部のうち少なくとも第１のアーム部は、前記ローラの第１の端面に臨む第１の摩擦制動面を有し、第１及び第２のアーム部に付与される挟み込み力により第１の摩擦制動面が前記ローラの第１の端面に圧接可能な弾性変形性を持つことを特徴とする軟膏塗擦具。
【発明の詳細な説明】
【発明の属する技術分野】
本発明は、ローラを具備する軟膏塗擦具に関し、特に、ローラ制動機構を備えた軟膏塗擦具に関する。
【従来の技術】
皮膚病患者の患部に対する軟膏（クリームも含む）塗布処置においては、患者自身，看護師や母親が軟膏チューブから搾り出した軟膏を指頭，素手に一旦移し替えて患部に付着し、そのまま引き延ばして塗布するか、或いは未だレアケースではあるが、化学素材の手袋を着用して塗布作業を行うのが通例であった。ところが、皮膚病の軟膏の多くには副腎皮質ホルモン剤が含有しているため、素手で塗布処置する場合は指先の皮膚に副腎皮質ホルモン剤を擦り込むことに等しく、素手から体内に副腎皮質ホルモンが吸収されてしまい、近年、副作用の発生の危険性が指摘されている。また、感染性のある皮膚病では処置関係者の二次感染の危険性もある。更に、化学素材の手袋の着用する場合でも、その化学素材物質を原因とする接触皮膚炎を惹き起こす事例も報告されている。
これらの問題を解決するために、例えば特開２０００−３１６９８４公報に記載の通り、手の届かない部分への軟膏処置用具として、撓曲調整可能なハンドルの首部から二又状に分岐した一対のアーム部にローラを回転可能に支持したものが開示されている。ローラ周面に軟膏を着けてハンドルを把持しローラを背中等の患部に密着させ、上下、左右に動かすとローラが回転するため、患部に軟膏を塗布することができ、素手で軟膏を塗布せずに済む外、患者自身が手の届かない患部に軟膏を塗布することができる。
【発明が解決しようとする課題】
しかしながら、従来のローラ式軟膏塗布具にあっては、次のような問題点がある。
（１）  ローラ周面に軟膏を着ける際、ハンドルを把持する際、或いはローラを背中等の患部にまで持ち来たす際などでは、ローラに加わる直接の外力又は加減速時の慣性力によりローラ自身が遊び廻り易く、ローラ周面上に搾り出した軟膏付着部位が患部からずれてしまい、患部のみに軟膏を塗布することが思いのほか困難である。また患部以外にも軟膏を余分に塗布する虞れがあり、軟膏の過剰塗布に結び付く。
（２）  軟膏塗布処置の専門実技においては、多量に「塗布する」（塗る）のではなく、薬学術語では「塗擦」が用いられているように、適量塗布後に良く患部に擦り込むことが必須である。しかし、従来のローラ式軟膏塗布具においては皮膚面にローラを当てるとローラが転動し、軟膏が皮膚に真上からベタ付きを伴って転写されることになるものの、擦り込み効果に乏しく、むしろ搾り出した軟膏量をローラ周面に単に軟膏膜として押し広げてしまう。
そこで、上記の問題点に鑑み、本発明の課題は、患部に軟膏を整合的に付着でき、擦り込み効果を発揮できるローラ制動機構を備えた軟膏塗擦具を提供することにある。
【課題を解決するための手段】
本発明の第１の手段は、ローラ周面に軟膏を付着するべき塗擦用ローラと、このローラの第１及び第２の端面側でローラを回転可能に支承する第１及び第２の回り対偶部並びに第１及び第２の回り対偶部から上記端面の放射方向に延出した第１及び第２のアーム部を具備するハンドルと、を備えた軟膏塗擦具である。例えば、手の届かない背中等にも軟膏を塗布できるように、ハンドルとしては、柄部の先端で二又状に分岐した第１及び第２のアーム部を有している。そして、ローラ制動機構として、アーム部の少なくとも第１のアーム部は、ローラの第１の端面に臨む第１の摩擦制動面を有し、第１及び第２のアーム部に付与される挟み込み力により第１の摩擦制動面がローラの第１の端面に圧接可能な弾性変形性を持ち、上記挟み込み力を生じさせる作動手段を具備して成る。
軟膏塗布処置においては、作動手段を操作して第１の摩擦制動面をローラの第１の端面に圧接し、ローラを制動状態としてから、軟膏チューブ等から軟膏（クリームも含む）をローラ周面に適量搾り出し、ハンドルを把持して背中などの患部にローラ周面上の軟膏を押し当て一旦付着させる。ローラが制動状態であるため、ローラの遊び廻りを抑制でき、患部に軟膏を整合的に付着できる。そして、作動手段を操作解除し、ハンドル操作によりローラを上下或いは左右に動かし患部上で転動させ、軟膏を引き延ばし、再度、作動手段を操作してローラを制動状態に設定し、ローラ周面で軟膏を患部に擦り込む。ローラが制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
作動手段としては、ワンタッチ式のものが望ましく、押しボタン式の作動部材を採用することもできるが、作動手段の構成の簡略化を期すには、柄部に外嵌して当該柄部に沿って進退動可能な締め環とすることが望ましい。締め環を柄部に沿って動かして二又状の分岐部に緊締するだけで、第１及び第２のアーム部に挟み込み力を波及させることができるからである。なお、柄部に締め環を抜け止めするためのストッパーを設けると良い。
上記第１の手段は、概ね背中等の手の届かない部位（患者自身に見えない部位）に対する軟膏塗布処置に用いるに好適であり、比較的大型品となるため、第１及び第２のアーム部に弾性変形を惹き起こすための作動手段を必要とするが、顔や手足などに処置する場合や視認可能な患部に処置する場合などにあって、ローラ自体の小型化を必要とし、また作動手段の不要化を図る必要である。
即ち、本発明の第２の手段は、ローラ周面に軟膏の付着するべき塗擦用ローラと、このローラの第１及び第２の端面側でローラを回転可能に支承する第１及び第２の回り対偶部並びに第１及び第２の回り対偶部から上記端面の放射方向に延出した第１及び第２のアーム部を具備するハンドルと、を備えた軟膏塗擦具において、アーム部のうち少なくとも第１のアーム部は、ローラの第１の端面に臨む第１の摩擦制動面を有し、第１及び第２のアーム部に付与される挟み込み力により第１の摩擦制動面がローラの第１の端面に圧接可能な弾性変形性を持つことを特徴とする。
斯かる第２の手段において第１の手段と異なる点は、手先で第１及び第２のアーム部を直接挟み込むだけで、第１の摩擦制動面がローラの第１の端面に圧接し、ローラを制動状態とすることができる。このため、第１の手段に比し構成の簡易化及び小型化を図ることができ、使い切り品として軟膏チューブ毎に添付できる廉価性に富み、小児等に対する副腎皮質ホルモン剤の防曝励行に資する。
【発明の実施の形態】
図１は本発明の軟膏塗摩具に係る第１実施例を示す斜視図、図２はその分解斜視図である。
本例の軟膏塗摩具１０は、概ね背中等の手の届かない部位（患者自身が見えない部位）に対する軟膏塗布処置に用いるに好適であって、ローラ周面に軟膏を付着するべき樹脂製の塗擦用ローラ１と、樹脂製のハンドル２となら成る。塗擦用ローラ１は、円柱状ローラ本体１ａと、両端面の中心から突出した固定軸１ｂ，１ｂと、端面に張り合わせた円形滑り止めシート１ｃとから成る。ハンドル２は、後端側に把持部Ａを有する棒状柄部２ａと、この棒状柄部２ａの先方に二又状に分岐した第１のアーム部２ｂ及び第２のアーム部２ｃとを有する。各アーム部２ｂ，２ｃはくの字状に屈曲している。各アーム部２ｂ，２ｃの先端部の内側対向面Ｓ，Ｓには固定軸１ｂ，１ｂが嵌入し、回り対偶部を構成する軸受穴Ｈ，Ｈが形成されている。この各内側対向面Ｓは、ローラ本体１ａの端面に臨む摩擦制動面として機能し、後述する第１及び第２のアーム部２ｂ，２ｃに付与される挟み込み力により、各内側対向面Ｓがローラ本体１ａの円形滑り止めシート１ｃに圧接可能な弾性変形性を持つ。各内側対向面Ｓは粗面として形成されている。
棒状柄部２ａの分岐部Ｂ付近には、上記挟み込み力を生じさせる手動式作動手段としての締め環３が若干の遊隙を以って外嵌し、棒状柄部２ａに沿って進退動可能となっている。また、この締め環３よりも把持部Ａ側に、当該締め環３を抜け止めするための環状ストッパー４が固定されている。
斯かる軟膏塗擦具１０を用いて軟膏塗布処置を行うには、先ず、締め環３を分岐部Ｂに押し込んで締め付け、第１及び第２のアーム部２ｂ，２ｃが相互に内側方向に撓曲し、内側対向面Ｓ，Ｓがローラ本体１ａの円形滑り止めシート１ｃに圧接するため、ローラ１が制動状態となる。この状態で、軟膏チューブ等から軟膏をローラ周面に適量搾り出し、ハンドル２の把持部Ａを片手で把持して背中などの患部にローラ周面上の軟膏を押し当てて一旦付着させる。ローラ１が制動状態であるため、ローラ１の遊び廻りを抑制でき、患部に軟膏を整合的に付着できる。そして、締め環３を分岐部Ｂから緩め、ハンドル操作によりローラ１を上下或いは左右に動かし患部上で転動させ、軟膏を引き延ばし、再度、締め環３で分岐部Ｂを締め付け、ローラ１を制動状態に設定し、ローラ周面で軟膏を患部に擦り込む。ローラ１が制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
なお、第１及び第２のアーム部２ｂ，２ｃが弾性変形で拡開できるため、ローラ１の交換も可能である。
図３は本発明の軟膏塗摩具に係る第２実施例を示す斜視図、図４はその分解斜視図である。
本例の軟膏塗摩具２０は、指先で把持可能な小型であって視認可能な部位に軟膏を塗布するに好適である。軟膏塗摩具２０は、ローラ周面に軟膏を付着するべき樹脂製の塗擦用ローラ１１と、樹脂製のハンドル１２とから成る。塗擦用ローラ１１は、円柱状ローラ本体１１ａと、両端面の中心から突出した固定軸１１ｂ，１１ｂと、端面に張り合わせた円形滑り止めシート１１ｃとから成る。ハンドル１２は、第１のアーム部１２ｂと第２のアーム部１２ｃを彎曲部１２ｄで連結したＵ字状である。各アーム部１２ｂ，１２ｃの先端部の内側対向面Ｓ，Ｓには固定軸１１ｂ，１１ｂが嵌入し、回り対偶部を構成する軸受穴Ｈ，Ｈが形成されている。この各内側対向面Ｓは、ローラ本体１１ａの端面に臨む摩擦制動面として機能し、後述する第１及び第２のアーム部１２ｂ，１２ｃに付与される挟み込み力により、各内側対向面Ｓがローラ本体１１ａの円形滑り止めシート１１ｃに圧接可能な弾性変形性を持つ。各内側対向面Ｓも粗面として形成されている。
斯かる軟膏塗擦具１０を用いて軟膏塗布処置を行うには、指先で第１及び第２のアーム部１２ｂ，１２ｃを挟み込んで内側方向に撓曲させると、内側対向面Ｓ，Ｓがローラ本体１１ａの円形滑り止めシート１１ｃに圧接するため、ローラ１１が制動状態となる。この状態で、軟膏チューブ等から軟膏をローラ周面に適量搾り出し、ハンドル１２を摘み患部にローラ周面上の軟膏を押し当て一旦付着させる。ローラ１１が制動状態であるため、ローラ１１の遊び廻りを抑制でき、患部に軟膏を整合的に付着できる。そして、第１及び第２のアーム部１２ｂ，１２ｃの挟み込み力を弱めて上下或いは左右に動かし患部上でローラ１１を転動させ、軟膏を引き延ばし、再度、第１及び第２のアーム部１２ｂ，１２ｃの挟み込み力を強め、ローラ１１を制動状態に設定し、ローラ周面で軟膏を患部に擦り込む。ローラ１１が制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
なお、第１及び第２のアーム部１２ｂ，１２ｃが弾性変形で拡開できるため、ローラ１１の交換も可能である。
【発明の効果】
以上説明したように、本発明に係る軟膏塗擦具は手先で操作可能なローラ制動機構を備えているため、制動状態ではローラ周面に軟膏を搾り出す際にローラが遊び廻らず、定位置に適量の軟膏を付着でき、また非制動状態では素手に軟膏が付着せずに軟膏を患部上で引き延ばした後、制動状態でローラ周面によって入念に擦り込むことができる。
【図面の簡単な説明】
【図１】本発明の軟膏塗摩具に係る第１実施例を示す斜視図である。
【図２】第１実施例を示す分解斜視図である。
【図３】本発明の軟膏塗摩具に係る第２実施例を示す斜視図である。
【図４】第２実施例を示す分解斜視図である。
【符号の説明】
１０，２０…軟膏塗摩具
１…塗擦用ローラ
１ａ，１１ａ…円柱状ローラ本体
１ｂ，１１ｂ…固定軸
１ｃ，１１ｃ…円形滑り止めシート
２，１２…ハンドル
２ａ…棒状柄部
２ｂ，１２ｂ…第１のアーム部
２ｃ，１２ｃ…第２のアーム部
３…締め環
４…環状ストッパー
１２ｄ…彎曲部
Ａ…把持部
Ｂ…分岐部
Ｈ…軸受穴
Ｓ…内側対向面
【図１】
2004329772.tif 000003
【図２】
2004329772.tif 000004
【図３】
2004329772.tif 000005
【図４】
2004329772.tif 000006
【手続補正書】
【提出日】平成15年6月25日(2003.6.25)
【手続補正１】
【補正対象書類名】明細書
【補正対象項目名】全文
【補正方法】変更
【補正の内容】
【特許請求の範囲】
【請求項１】ローラ周面に軟膏を付着するべき塗擦用ローラと、当該ローラの第１及び第２の端面側で当該ローラを回転可能に支承する第１及び第２の回り対偶部並びに第１及び第２の回り対偶部から前記端面の放射方向に延出した第１及び第２のアーム部を具備するハンドルと、を備えた軟膏塗擦具において、
前記ハンドルは、柄部の先端で二又状に分岐した第１及び第２のアーム部を有し、前記アーム部の少なくとも第１のアーム部は、前記ローラの第１の端面に臨む第１の摩擦制動面を有し、第１及び第２のアーム部に付与される挟み込み力により第１の摩擦制動面が前記ローラの第１の端面に圧接可能な弾性変形性を持ち、前記挟み込み力を生じさせる作動手段を具備して成ることを特徴とする軟膏塗擦具。
【請求項２】請求項１において、前記作動手段は、前記柄部に外嵌して当該柄部に沿って進退動可能な締め環であることを特徴とする軟膏塗擦具。
【請求項３】請求項２において、前記柄部は、前記締め環を抜け止めするためのストッパーを具備して成ることを特徴とする軟膏塗擦具。
【請求項４】ローラ周面に軟膏を付着するべき塗擦用ローラと、当該ローラの第１及び第２の端面側で当該ローラを回転可能に支承する第１及び第２の回り対偶部並びに第１及び第２の回り対偶部から前記端面の放射方向に延出した第１及び第２のアーム部を具備するハンドルと、を備えた軟膏塗擦具において、
前記アーム部のうち少なくとも第１のアーム部は、前記ローラの第１の端面に臨む第１の摩擦制動面を有し、第１及び第２のアーム部に付与される挟み込み力により第１の摩擦制動面が前記ローラの第１の端面に圧接可能な弾性変形性を持つことを特徴とする軟膏塗擦具。
【発明の詳細な説明】
【０００１】
【発明の属する技術分野】
本発明は、ローラを具備する軟膏塗擦具に関し、特に、ローラ制動機構を備えた軟膏塗擦具に関する。
【０００２】
【従来の技術】
皮膚病患者の患部に対する軟膏（クリームも含む）塗布処置においては、患者自身，看護師や母親が軟膏チューブから搾り出した軟膏を指頭，素手に一旦移し替えて患部に付着し、そのまま引き延ばして塗布するか、或いは未だレアケースではあるが、化学素材の手袋を着用して塗布作業を行うのが通例であった。ところが、皮膚病の軟膏の多くには副腎皮質ホルモン剤が含有しているため、素手で塗布処置する場合は指先の皮膚に副腎皮質ホルモン剤を擦り込むことに等しく、素手から体内に副腎皮質ホルモンが吸収されてしまい、近年、副作用の発生の危険性が指摘されている。また、感染性のある皮膚病では処置関係者の二次感染の危険性もある。更に、化学素材の手袋の着用する場合でも、その化学素材物質を原因とする接触皮膚炎を惹き起こす事例も報告されている。
【０００３】
これらの問題を解決するために、例えば特開２０００−３１６９８４公報に記載の通り、手の届かない部分への軟膏処置用具として、撓曲調整可能なハンドルの首部から二又状に分岐した一対のアーム部にローラを回転可能に支持したものが開示されている。ローラ周面に軟膏を着けてハンドルを把持しローラを背中等の患部に密着させ、上下、左右に動かすとローラが回転するため、患部に軟膏を塗布することができ、素手で軟膏を塗布せずに済む外、患者自身が手の届かない患部に軟膏を塗布することができる。
【０００４】
【発明が解決しようとする課題】
しかしながら、従来のローラ式軟膏塗布具にあっては、次のような問題点がある。
（１）  ローラ周面に軟膏を着ける際、ハンドルを把持する際、或いはローラを背中等の患部にまで持ち来たす際などでは、ローラに加わる直接の外力又は加減速時の慣性力によりローラ自身が遊び廻り易く、ローラ周面上に搾り出した軟膏付着部位が患部からずれてしまい、患部のみに軟膏を塗布することが思いのほか困難である。また患部以外にも軟膏を余分に塗布する虞れがあり、軟膏の過剰塗布に結び付く。
（２）  軟膏塗布処置の専門実技においては、多量に「塗布する」（塗る）のではなく、薬学術語では「塗擦」が用いられているように、適量塗布後に良く患部に擦り込むことが必須である。しかし、従来のローラ式軟膏塗布具においては皮膚面にローラを当てるとローラが転動し、軟膏が皮膚に真上からベタ付きを伴って転写されることになるものの、擦り込み効果に乏しく、むしろ搾り出した軟膏量をローラ周面に単に軟膏膜として押し広げてしまう。
【０００５】
そこで、上記の問題点に鑑み、本発明の課題は、患部に軟膏を整合的に付着でき、擦り込み効果を発揮できるローラ制動機構を備えた軟膏塗擦具を提供することにある。
【０００６】
【課題を解決するための手段】
本発明の第１の手段は、ローラ周面に軟膏を付着するべき塗擦用ローラと、このローラの第１及び第２の端面側でローラを回転可能に支承する第１及び第２の回り対偶部並びに第１及び第２の回り対偶部から上記端面の放射方向に延出した第１及び第２のアーム部を具備するハンドルと、を備えた軟膏塗擦具である。例えば、手の届かない背中等にも軟膏を塗布できるように、ハンドルとしては、柄部の先端で二又状に分岐した第１及び第２のアーム部を有している。そして、ローラ制動機構として、アーム部の少なくとも第１のアーム部は、ローラの第１の端面に臨む第１の摩擦制動面を有し、第１及び第２のアーム部に付与される挟み込み力により第１の摩擦制動面がローラの第１の端面に圧接可能な弾性変形性を持ち、上記挟み込み力を生じさせる作動手段を具備して成る。
【０００７】
軟膏塗布処置においては、作動手段を操作して第１の摩擦制動面をローラの第１の端面に圧接し、ローラを制動状態としてから、軟膏チューブ等から軟膏（クリームも含む）をローラ周面に適量搾り出し、ハンドルを把持して背中などの患部にローラ周面上の軟膏を押し当て一旦付着させる。ローラが制動状態であるため、ローラの遊び廻りを抑制でき、患部に軟膏を整合的に付着できる。そして、作動手段を操作解除し、ハンドル操作によりローラを上下或いは左右に動かし患部上で転動させ、軟膏を引き延ばし、再度、作動手段を操作してローラを制動状態に設定し、ローラ周面で軟膏を患部に擦り込む。ローラが制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
【０００８】
作動手段としては、ワンタッチ式のものが望ましく、押しボタン式の作動部材を採用することもできるが、作動手段の構成の簡略化を期すには、柄部に外嵌して当該柄部に沿って進退動可能な締め環とすることが望ましい。締め環を柄部に沿って動かして二又状の分岐部に緊締するだけで、第１及び第２のアーム部に挟み込み力を波及させることができるからである。なお、柄部に締め環を抜け止めするためのストッパーを設けると良い。
【０００９】
上記第１の手段は、概ね背中等の手の届かない部位（患者自身に見えない部位）に対する軟膏塗布処置に用いるに好適であり、比較的大型品となるため、第１及び第２のアーム部に弾性変形を惹き起こすための作動手段を必要とするが、顔や手足などに処置する場合や視認可能な患部に処置する場合などにあって、ローラ自体の小型化を必要とし、また作動手段の不要化を図る必要である。
【００１０】
即ち、本発明の第２の手段は、ローラ周面に軟膏の付着するべき塗擦用ローラと、このローラの第１及び第２の端面側でローラを回転可能に支承する第１及び第２の回り対偶部並びに第１及び第２の回り対偶部から上記端面の放射方向に延出した第１及び第２のアーム部を具備するハンドルと、を備えた軟膏塗擦具において、アーム部のうち少なくとも第１のアーム部は、ローラの第１の端面に臨む第１の摩擦制動面を有し、第１及び第２のアーム部に付与される挟み込み力により第１の摩擦制動面がローラの第１の端面に圧接可能な弾性変形性を持つことを特徴とする。
【００１１】
斯かる第２の手段において第１の手段と異なる点は、手先で第１及び第２のアーム部を直接挟み込むだけで、第１の摩擦制動面がローラの第１の端面に圧接し、ローラを制動状態とすることができる。このため、第１の手段に比し構成の簡易化及び小型化を図ることができ、使い切り品として軟膏チューブ毎に添付できる廉価性に富み、小児等に対する副腎皮質ホルモン剤の防曝励行に資する。
【００１２】
【発明の実施の形態】
図１は本発明の軟膏塗摩具に係る第１実施例を示す斜視図、図２はその分解斜視図である。
【００１３】
本例の軟膏塗摩具１０は、概ね背中等の手の届かない部位（患者自身が見えない部位）に対する軟膏塗布処置に用いるに好適であって、ローラ周面に軟膏を付着するべき樹脂製の塗擦用ローラ１と、樹脂製のハンドル２となら成る。塗擦用ローラ１は、円柱状ローラ本体１ａと、両端面の中心から突出した固定軸１ｂ，１ｂと、端面に張り合わせた円形滑り止めシート１ｃとから成る。ハンドル２は、後端側に把持部Ａを有する棒状柄部２ａと、この棒状柄部２ａの先方に二又状に分岐した第１のアーム部２ｂ及び第２のアーム部２ｃとを有する。各アーム部２ｂ，２ｃはくの字状に屈曲している。各アーム部２ｂ，２ｃの先端部の内側対向面Ｓ，Ｓには固定軸１ｂ，１ｂが嵌入し、回り対偶部を構成する軸受穴Ｈ，Ｈが形成されている。この各内側対向面Ｓは、ローラ本体１ａの端面に臨む摩擦制動面として機能し、後述する第１及び第２のアーム部２ｂ，２ｃに付与される挟み込み力により、各内側対向面Ｓがローラ本体１ａの円形滑り止めシート１ｃに圧接可能な弾性変形性を持つ。各内側対向面Ｓは粗面として形成されている。
【００１４】
棒状柄部２ａの分岐部Ｂ付近には、上記挟み込み力を生じさせる手動式作動手段としての締め環３が若干の遊隙を以って外嵌し、棒状柄部２ａに沿って進退動可能となっている。また、この締め環３よりも把持部Ａ側に、当該締め環３を抜け止めするための環状ストッパー４が固定されている。
【００１５】
斯かる軟膏塗擦具１０を用いて軟膏塗布処置を行うには、先ず、締め環３を分岐部Ｂに押し込んで締め付け、第１及び第２のアーム部２ｂ，２ｃが相互に内側方向に撓曲し、内側対向面Ｓ，Ｓがローラ本体１ａの円形滑り止めシート１ｃに圧接するため、ローラ１が制動状態となる。この状態で、軟膏チューブ等から軟膏をローラ周面に適量搾り出し、ハンドル２の把持部Ａを片手で把持して背中などの患部にローラ周面上の軟膏を押し当てて一旦付着させる。ローラ１が制動状態であるため、ローラ１の遊び廻りを抑制でき、患部に軟膏を整合的に付着できる。そして、締め環３を分岐部Ｂから緩め、ハンドル操作によりローラ１を上下或いは左右に動かし患部上で転動させ、軟膏を引き延ばし、再度、締め環３で分岐部Ｂを締め付け、ローラ１を制動状態に設定し、ローラ周面で軟膏を患部に擦り込む。ローラ１が制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
【００１６】
なお、第１及び第２のアーム部２ｂ，２ｃが弾性変形で拡開できるため、ローラ１の交換も可能である。
【００１７】
図３は本発明の軟膏塗摩具に係る第２実施例を示す斜視図、図４はその分解斜視図である。
【００１８】
本例の軟膏塗摩具２０は、指先で把持可能な小型であって視認可能な部位に軟膏を塗布するに好適である。軟膏塗摩具２０は、ローラ周面に軟膏を付着するべき樹脂製の塗擦用ローラ１１と、樹脂製のハンドル１２とから成る。塗擦用ローラ１１は、円柱状ローラ本体１１ａと、両端面の中心から突出した固定軸１１ｂ，１１ｂと、端面に張り合わせた円形滑り止めシート１１ｃとから成る。ハンドル１２は、第１のアーム部１２ｂと第２のアーム部１２ｃを彎曲部１２ｄで連結したＵ字状である。各アーム部１２ｂ，１２ｃの先端部の内側対向面Ｓ，Ｓには固定軸１１ｂ，１１ｂが嵌入し、回り対偶部を構成する軸受穴Ｈ，Ｈが形成されている。この各内側対向面Ｓは、ローラ本体１１ａの端面に臨む摩擦制動面として機能し、後述する第１及び第２のアーム部１２ｂ，１２ｃに付与される挟み込み力により、各内側対向面Ｓがローラ本体１１ａの円形滑り止めシート１１ｃに圧接可能な弾性変形性を持つ。各内側対向面Ｓも粗面として形成されている。
【００１９】
斯かる軟膏塗擦具１０を用いて軟膏塗布処置を行うには、指先で第１及び第２のアーム部１２ｂ，１２ｃを挟み込んで内側方向に撓曲させると、内側対向面Ｓ，Ｓがローラ本体１１ａの円形滑り止めシート１１ｃに圧接するため、ローラ１１が制動状態となる。この状態で、軟膏チューブ等から軟膏をローラ周面に適量搾り出し、ハンドル１２を摘み患部にローラ周面上の軟膏を押し当て一旦付着させる。ローラ１１が制動状態であるため、ローラ１１の遊び廻りを抑制でき、患部に軟膏を整合的に付着できる。そして、第１及び第２のアーム部１２ｂ，１２ｃの挟み込み力を弱めて上下或いは左右に動かし患部上でローラ１１を転動させ、軟膏を引き延ばし、再度、第１及び第２のアーム部１２ｂ，１２ｃの挟み込み力を強め、ローラ１１を制動状態に設定し、ローラ周面で軟膏を患部に擦り込む。ローラ１１が制動状態或いは半制動状態とすることができるため、軟膏の患部に対する擦り込み効果が発揮すると共に、軟膏のローラ周面からの擦り切り作用が働き、軟膏の無駄使いや過剰塗布を抑制できる。
【００２０】
なお、第１及び第２のアーム部１２ｂ，１２ｃが弾性変形で拡開できるため、ローラ１１の交換も可能である。
【００２１】
【発明の効果】
以上説明したように、本発明に係る軟膏塗擦具は手先で操作可能なローラ制動機構を備えているため、制動状態ではローラ周面に軟膏を搾り出す際にローラが遊び廻らず、定位置に適量の軟膏を付着でき、また非制動状態では素手に軟膏が付着せずに軟膏を患部上で引き延ばした後、制動状態でローラ周面によって入念に擦り込むことができる。
【図面の簡単な説明】
【図１】本発明の軟膏塗摩具に係る第１実施例を示す斜視図である。
【図２】第１実施例を示す分解斜視図である。
【図３】本発明の軟膏塗摩具に係る第２実施例を示す斜視図である。
【図４】第２実施例を示す分解斜視図である。
【符号の説明】
１０，２０…軟膏塗摩具
１…塗擦用ローラ
１ａ，１１ａ…円柱状ローラ本体
１ｂ，１１ｂ…固定軸
１ｃ，１１ｃ…円形滑り止めシート
２，１２…ハンドル
２ａ…棒状柄部
２ｂ，１２ｂ…第１のアーム部
２ｃ，１２ｃ…第２のアーム部
３…締め環
４…環状ストッパー
１２ｄ…彎曲部
Ａ…把持部
Ｂ…分岐部
Ｈ…軸受穴
Ｓ…内側対向面